(57)【要約】【課題】電源スイッチがオンとなっている状態で、商用交流電源に接続されたコンセントが引き抜かれたり、停電したりしても、液晶パネルの画素容量に残留した電荷を放電させることができ、液晶パネルの劣化を防止する。【解決手段】所定の画素容量１２０を有し、画像情報に応じた電荷が充電される画素１２Ａを具備する液晶パネルと、外部電源から供給される電力の状態を検出する電源状態検出部と、液晶パネルとグランドとの接地または非接地を切り替える放電回路４０と、電源状態検出部にて検出した電力の状態に応じて、液晶パネルに残留している電荷を放電させるように放電回路４０を制御する制御装置５０とを備える。【選択図】図２
2009037020.tif 000002
【特許請求の範囲】
【請求項１】
入力された画像情報に対応する画像を表示する画像表示装置であって、
所定の画素容量を有し、前記画像情報に応じた電荷が充電される画素を具備する画像形成部と、
外部電源から供給される電力の状態を検出する電源状態検出部と、
前記画像形成部とグランドとの接地または非接地を切り替える接地切替部と、
前記電源状態検出部にて検出した前記電力の状態に応じて、前記画像形成部に残留している電荷を放電させるように前記接地切替部を制御する制御部と、を備えていることを特徴とする画像表示装置。
【請求項２】
請求項１に記載の画像表示装置において、
前記画像形成部は、
前記画素に設けられ、前記画像情報に応じた電圧が印加される画素電極と、
当該画素電極と対向する位置に設置される共通電極とを備え、
前記接地切替部は、前記共通電極に接続されていることを特徴とする画像表示装置。
【請求項３】
光束を射出する光源装置と、
前記光源装置から射出された光束を画像情報に応じて変調して光学像を形成する光変調装置と、
前記光変調装置にて形成された光学像を拡大投射する投射光学装置と、
請求項１または請求項２に記載の前記画像表示装置とを備え、
前記画像形成部が前記光変調装置として機能することを特徴とするプロジェクタ。
【請求項４】
所定の画素容量を有し、入力された画像情報に応じた電荷が充電される画素を具備する画像形成部と、外部電源から供給される電力の状態を検出する電源状態検出部と、前記画像形成部とグランドとの接地または非接地を切り替える接地切替部とを備えた画像表示装置における、前記画像形成部に残留する残留電荷の放電方法であって、
外部電源から供給される電力の状態を検出するステップと、
前記検出した電力の状態に応じて、前記画像形成部を接地させるように接続を切り替えて前記画像形成部に残留した電荷を放電させるステップとを含むことを特徴とする残留電荷の放電方法。
【発明の詳細な説明】
【技術分野】
【０００１】
本発明は、画像表示装置、プロジェクタ、残留電荷の放電方法に関する。
【背景技術】
【０００２】
従来、画像を表示する画像表示装置が知られている。この種の画像表示装置は、所定の画素容量を有する画素を備え、画素容量の充電状態に応じた画像を表示する液晶パネルを具備する。この液晶パネルは、画素毎にアクティブ素子を有しており、ソース線を介して駆動電圧が、ゲート線を介して前記アクティブ素子のオンオフ制御信号が、それぞれ前記画素に供給される。このような画像表示装置を備えた電子機器のなかには、商用交流電源から供給された電力を所定の電圧に変圧して各部に供給する電源回路を備えたものもある。
【０００３】
ところで、上述した液晶パネルは、画素の焼き付きを回避するために、電源を切る前に、画素容量に残留した電荷を放電しておきたい要請がある。
このような要請に応じ、電源スイッチのオンオフに連動させて、画素を駆動する駆動電圧の電位を、液晶パネルの共通電極の電位に一致させる技術が開示されている（例えば、特許文献１参照）。この開示された技術によれば、電源スイッチのオンオフに応じて画素容量に残留した電荷を放電させることができる。
【０００４】
【特許文献１】特開２００６−４７５００号公報
【発明の開示】
【発明が解決しようとする課題】
【０００５】
ところが、特許文献１に記載の技術では、電源スイッチがオンとなっている状態で、商用交流電源に接続されたコンセントが引き抜かれたり、停電したりすると、画素容量に残留した電荷を放電させることができず、画素の焼き付きの原因となっていた。
【０００６】
本発明は、このような事情に鑑みなされたものであって、その目的は、電源スイッチがオンとなっている状態で、商用交流電源に接続されたコンセントが引き抜かれたり、停電したりしても、液晶パネルの画素容量に残留した電荷を放電させることができ、液晶パネルの劣化を防止することができる画像表示装置、プロジェクタ、残留電荷の放電方法を提供することにある。
【課題を解決するための手段】
【０００７】
上述した課題を解決するための手段として、本発明に係る画像表示装置は、入力された画像情報に対応する画像を表示する画像表示装置であって、所定の画素容量を有し、前記画像情報に応じた電荷が充電される画素を具備する画像形成部と、外部電源から供給される電力の状態を検出する電源状態検出部と、前記画像形成部とグランドとの接地または非接地を切り替える接地切替部と、前記電源状態検出部にて検出した前記電力の状態に応じて、前記画像形成部に残留している電荷を放電させるように前記接地切替部を制御する制御部と、を備えていることを特徴とする。
【０００８】
この画像表示装置によれば、たとえば、電源スイッチがオンとなっている状態で、商用交流電源に接続されたコンセントが引き抜かれてしまうような場合であっても、電源状態検出部にて外部電源から供給される電力の電圧が所定の電圧値以下となったことを検出し、接地切替部が画像形成部に残留している電荷を放電させるように画像形成部をグランドに接地することにより、画像形成部の画素容量に残留した電荷を好ましく放電させることができ、画像形成部の劣化を防止することができる。
【０００９】
また、本発明に係る画像表示装置においては、前記画像形成部は、前記画素に設けられ、前記画像情報に応じた電圧が印加される画素電極と、当該画素電極と対向する位置に設置される共通電極とを備え、前記接地切替部は、前記共通電極に接続されていることが好ましい。
このように画像表示装置を構成した場合には、接地切替部が、共通電極に接続されているので、画素容量に残留した電荷を放電させる回路の構成を簡単にすることができる。
【００１０】
また、本発明に係るプロジェクタは、光束を射出する光源装置と、前記光源装置から射出された光束を画像情報に応じて変調して光学像を形成する光変調装置と、前記光変調装置にて形成された光学像を拡大投射する投射光学装置と、上述した前記画像表示装置とを備え、前記画像形成部が前記光変調装置として機能することを特徴とする。
このプロジェクタによれば、上述したように、画像形成部の画素容量に残留した電荷を好ましく放電させることができ、画像形成部の劣化を防止することができる。
【００１１】
また、本発明に係る残留電荷の放電方法は、所定の画素容量を有し、入力された画像情報に応じた電荷が充電される画素を具備する画像形成部と、外部電源から供給される電力の状態を検出する電源状態検出部と、前記画像形成部とグランドとの接地または非接地を切り替える接地切替部とを備えた画像表示装置における、前記画像形成部に残留する残留電荷の放電方法であって、外部電源から供給される電力の状態を検出するステップと、前記検出した電力の状態に応じて、前記画像形成部を接地させるように接続を切り替えて前記画像形成部に残留した電荷を放電させるステップとを含むことを特徴とする。
【００１２】
この残留電荷の放電方法によれば、たとえば、外部電源から供給される電力の電圧を検出し、その検出した電圧が所定の値以下となったと判断した場合には、画像形成部を接地させるように接続を切り替えて画像形成部に残留した電荷を放電させるので、画像形成部の画素容量に残留した電荷を好ましく放電させることができ、画像形成部の劣化を防止することができる。
【発明を実施するための最良の形態】
【００１３】
以下、本発明に係る画像表示装置の実施の形態について、図面を参照しながら説明する。なお、以下においては、プロジェクタ１を例にして本発明に係る画像表示装置を説明する。図１は、プロジェクタ１を示すブロック図である。
プロジェクタ１は、図１に示すように、画像投射装置１０と、光変調装置１２等に電力を供給する電源部としての電源装置２０と、商用交流電源から電源装置２０に供給される電力の電圧が低下したか否かを検出する電源状態検出部としての電圧検出器３０と、光変調装置１２に残留している電荷を放電する接地切替部としての放電回路４０と、電圧検出器３０からの検出信号にしたがって放電回路４０を制御する制御部としての制御装置５０と、を備える。
【００１４】
画像投射装置１０は、制御装置５０による制御の下、画像光を形成してスクリーンに拡大投射する。この画像投射装置１０は、図１に示すように、光源装置１１と、画像形成部としての光変調装置１２と、投射光学装置１３等を備える。
【００１５】
光源装置１１は、例えば、超高圧水銀ランプ等の放電発光型の光源ランプで構成され、光束を光変調装置１２に向けて射出する。
光変調装置１２は、光源装置１１から射出された光束を画像光に変調して投射光学装置１３に射出する。本実施形態では、光変調装置１２は、液晶層１２１、保持容量１２２、および薄膜トランジスタ１２３等を有する複数の画素１２Ａ（図２の等価回路参照）がマトリクス配置されたアクティブマトリクス駆動型の液晶パネルで構成されている。
【００１６】
この光変調装置１２は、薄膜トランジスタ１２３のドレインに接続された画素電極１２４に入力する映像信号と、配線４１を介して共通電極１２５に印加される共通電極電圧との電位差に応じて液晶層１２１および保持容量１２２に電荷を充電する。各画素の電極間には、それぞれ充電された電荷量に対応する電位差が生じるので、画素毎に投下する光の輝度を制御することができる。ここで、液晶層１２１および保持容量１２２は、本発明を構成する画素容量１２０に相当する。
また、投射光学装置１３は、光変調装置１２から射出された画像光をスクリーンに向けて拡大投射する。
【００１７】
電源装置２０は、コンセントに接続された電源ケーブル（図示略）を介して商用交流電源に接続されており、この商用交流電源から電力が供給されている。
この電源装置２０は、商用交流電源から供給された電力から、所定レベルで安定した電圧の直流電力を生成し、プロジェクタ１の各構成要素１０，５０等に供給する電源変換回路となっている。
【００１８】
電圧検出器３０は、電源装置２０から各構成要素に供給される直流電圧を検出するものであり、検出した直流電圧が所定の電圧値以下となった場合には、制御装置５０に所定の電圧値以下になった旨の検出信号を送信する。
なお、この商用交流電源から電源装置２０に供給される電圧が所定の電圧値以下になる場合とは、たとえば、商用交流電源から電源装置２０への電力供給が途絶え、電源装置２０から各構成要素に供給される直流電圧が、所定の電圧値を下回った場合であることを意味する。
【００１９】
図２は、放電回路４０の接続状態を示す回路概略図である。なお、図２は、放電回路４０と光変調装置１２の画素１２Ａの１つとを接続した例について示している。
放電回路４０は、制御装置５０の制御により、配線４１とグランドＧＮＤとの接地または非接地を切り替えるＮＰＮトランジスタ４２を備える。なお、図中の符号Ｒは、抵抗である。
【００２０】
制御装置５０は、ＣＰＵ（Central Processing Unit）等を備え、メモリに記憶された制御プログラムにしたがってプロジェクタ１全体を制御する。
例えば、制御装置５０は、電圧検出器３０からの検出信号を受信するように構成されており、電圧検出器３０から電源電圧が所定の電圧値以下になった旨の検出信号を受信した場合には、放電回路４０を制御して光変調装置１２（特に液晶層１２１および保持容量１２２）に残留する電荷を放電させる。具体的には、制御装置５０は、ＮＰＮトランジスタ４２のベース電流を制御することによって、配線４１をグランドＧＮＤに接地する。
【００２１】
以上のように構成されたプロジェクタ１の放電回路４０は、制御装置５０の制御により、次のように光変調装置１２に残留した電荷を放電する。なお、図３は、制御装置５０の制御により、放電回路４０にて残留電荷を放電するフローを示すフローチャートである。
【００２２】
すなわち、図３に示すように、制御装置５０は、電圧検出器３０から電源電圧が所定の電圧値以下になった旨の検出信号を受信したか否かを判断する（ステップＳ１）。このステップＳ１において、制御装置５０は、電圧検出器３０から電源電圧が所定の電圧値以下になった旨の検出信号を受信しないかぎり次のステップＳ２には移らず、この判断を継続する。
【００２３】
このステップＳ１において、制御装置５０は、電圧検出器３０から電源電圧が所定の電圧値以下になった旨の検出信号を受信すると、共通電極１２５を接地するように、放電回路４０のＮＰＮトランジスタ４２のベース電流をコントロールする（ステップＳ２）。
【００２４】
放電回路４０がオンに切り替わり共通電極１２５が接地すると、光変調装置１２（特に液晶層１２１および保持容量１２２）に残留していた電荷が、放電回路４０を介してグランドに放電される。
このようにして、電源スイッチがオンとなっている状態で、商用交流電源に接続されたコンセントが引き抜かれてしまうような場合であっても、光変調装置１２に残留していた電荷を放電させるので、光変調装置１２の劣化を防止することができる。
【００２５】
また、上述した放電回路４０は、画素容量１２０（液晶層１２１および保持容量１２２）の共通電極１２５に接続された配線４１に接続されているので、放電回路４０を設けるにあたっての配線を簡単にすることができる。
【００２６】
なお、本発明に係る画像表示装置は、上述の実施の形態に限定されるものではなく、本発明の趣旨を逸脱しない範囲において、適宜に選択変更して構成されるものであってもよい。
例えば、上述した本発明に係る画像表示装置は、光束を射出する光源装置１１と、光源装置１１から射出された光束を画像情報に応じて変調して光学像を形成する液晶パネル（光変調装置）１２と、光変調装置１２にて形成された光学像を拡大投射する投射光学装置１３とを備えたプロジェクタ１を例に挙げて説明するものであったが、本発明に係る画像表示装置は、この例に限定されるものではなく、直視型のディスプレイにも適用することができる。
【００２７】
また、上述の実施形態のプロジェクタ１においては、図２に示したように、光変調装置１２を構成する画素１２Ａの１つを例示して説明するものであった。しかし、本発明に係る画像表示装置およびプロジェクタは、この例に限定されるものではなく、たとえば、複数の光変調装置にそれぞれ備えられた共通電極１２５を、一括して１つの放電回路４０に接続するように構成されるものであっても何ら問題のないものとされる。
【００２８】
また、上述の実施形態のプロジェクタ１の電圧検出器３０は、電源装置２０から各構成要素に供給される直流電圧を検出するものであったが、本発明を構成する電源電圧検出部は、この例に限定されるものではなく、商用交流電源から電源装置２０に供給される電力の電圧が低下したか否かを検出するにあたり、商用交流電源から電源装置２０に供給される交流電圧を検出するように構成されるものであってもよい。
【００２９】
また、上述の実施形態のプロジェクタ１の放電回路４０は、共通電極１２５に接続され構成されたものであったが、この例に限定されるものではなく、放電回路４０は、薄膜トランジスタ１２３側に接続されるものであってもよい。その場合には、適宜のスイッチング制御を必要とする。
【００３０】
また、上述の実施形態のプロジェクタ１の放電回路４０は、要部がＮＰＮトランジスタ４２で構成されるものであった。しかし、本発明を構成する放電回路は、この例に限定されるものではなく、要部がＰＮＰトランジスタを利用して構成されるものであっても何ら問題のないものとされる。
【産業上の利用可能性】
【００３１】
本発明に係る画像表示装置、プロジェクタ、残留電荷の放電方法は、電源スイッチがオンとなっている状態で、ユーザの任意により商用交流電源に接続されたコンセントが引き抜かれてしまうような場合であっても、画素容量に残留した電荷を放電させることができ、画像表示の劣化を防止することができる画像表示装置、プロジェクタ、残留電荷の放電方法として利用することができる。
【図面の簡単な説明】
【００３２】
【図１】プロジェクタを示すブロック図。
【図２】放電回路の接続状態を示す回路概略図。
【図３】放電回路にて残留電荷を放電するフローを示すフローチャート。
【符号の説明】
【００３３】
１…プロジェクタ、１０…画像投射装置、１１…光源装置、１２…光変調装置、１２Ａ…画素、１３…投射光学装置、２０…電源装置、３０…電圧検出器、４０…放電回路、４１…配線、４２…ＮＰＮトランジスタ、５０…制御装置、１２０…画素容量、１２１…液晶層、１２２…保持容量、１２３…薄膜トランジスタ、１２４…画素電極、１２５…共通電極、Ｒ…抵抗。
【図１】
2009037020.tif 000003
【図２】
2009037020.tif 000004
【図３】
2009037020.tif 000005